(57)【特許請求の範囲】
【請求項１】
芝生面から芝生を採取するための芝生捕集器において、平面視六角形で筒状に形成されると共に左右に２分割された抜型と、左右それぞれの該抜型から上方に伸びる支柱と、該抜型同士の上方の接近側に回動自在に掛架されたリンクとを備え、いずれか一方の該抜型を芝生面に対して押圧するにつれて該リンクが回動し、該一方の抜型が他方の前記抜型とは独立して芝生面に差し込み可能に連結されたことを特徴とする芝生捕集器。
【請求項２】
前記抜型同士の下方の分割端を所定間隔離間させて配設し、前記リンクの回動軸を中心として、前記支柱上端同士を互いに離間する方向に回動させ、該分割端同士が接近するように回動させることにより、該抜型の下端開口を狭窄させることを特徴とする請求項１記載の芝生捕集器。
【請求項３】
前記抜型の上面の外周から中心方向に向かって水平に伸びる梁部材が該抜型に固定されると共に、該梁部材の先端に前記支柱の下端が固定され、該梁部材を介して該支柱同士が近接して該抜型の上面の中心から上方に伸びることを特徴とする請求項１又は請求項２記載の芝生捕集器。
【発明の詳細な説明】
【０００１】
【発明の属する技術分野】
本発明は、芝生面から芝生を採取するための芝生捕集器に関する。
【０００２】
【従来の技術】
従来より、例えばサツカー場やゴルフ場などの芝生を植生させた芝生面は、激しい運動や病害等によって、芝生の剥げ落ちが生じることがある。この剥げ落ちが生じた芝生面から傷んだ部分を採取して、健全に育成された別の芝生面から良好な芝生を採取し、傷んだ芝生の採取跡に良好な芝生を移植するために芝生捕集器が用いられてきた。
【０００３】
この芝生捕集器の一例として実公平６−２８９７１号がある。同号公報記載の芝生捕集器は、ハンドルを上端に有する支柱の下端に平面視六角形の抜型本体を設けた構造となっている。該芝生捕集器を使用する場合は、まず、ハンドルを把持することによって支柱の下端に設けた抜型本体を傷んだ芝生が育成されている芝生面に差し込む。そして、該芝生捕集器を持ち上げることで、抜型本体内に採取された平面視六角形の芝片が抜き取られる。
つぎに、該芝生捕集器で同様な方法で予め採取された健全な補修用芝を、傷んだ芝生の採取跡に移植する。
【０００４】
【発明が解決しようとする課題】
しかしながら、従来の芝生捕集器では、芝生を採取するためには平面視六角形の抜型本体の全体を芝生面に差し込む必要がある。このため、厚さが大きい芝片を採取するためには、抜型本体の全体に大きな押圧力を加えて抜型本体を芝生面から土中に深くまで差し込まなければならないので、過大な労力を要する。
【０００５】
また、厚さが大きい芝片は多くの土や根を含んでいて重いことから、該芝生捕集器では重い芝片が抜け落ちてしまい芝片を芝生面から抜き取ることは困難である。
【０００６】
本発明は、このような事情に鑑みてなされたもので、労力を抑えて抜型を芝生面に深くまで差し込み、厚さが大きい芝片を容易に採取することが可能で、厚くて重い芝片であっても確実に保持して採取することができる芝生捕集器を提供することにある。
【０００７】
【課題を解決するための手段】
請求項１記載の芝生捕集器は、平面視六角形で筒状に形成されると共に左右に２分割された抜型と、左右それぞれの抜型から上方に伸びる支柱と、抜型同士の上方の接近側に回動自在に掛架されたリンクとを備え、いずれか一方の抜型を芝生面に対して押圧するにつれてリンクが回動し、一方の抜型が他方の抜型とは独立して芝生面に差し込むことが可能に連結されたことを特徴とする。
【０００８】
請求項２記載の芝生捕集器は、抜型同士の下方の分割端を所定間隔離間させて配設し、リンクの回動軸を中心として、支柱上端同士を互いに離間する方向に回動させ、分割端同士が接近するように回動させることにより、抜型の下端開口を狹窄させることを特徴とする。
【０００９】
請求項３記載の芝生捕集器は、抜型の上面の外周から中心方向に向かって水平に伸びる梁部材が抜型に固定されると共に、梁部材の先端に支柱の下端が固定され、梁部材を介して支柱同士が近接して抜型の上面の中心から上方に伸びることを特徴とする。
【００１０】
【発明の実施の形態】
以下、本発明の形態について図面を参照しながら具体的に説明する。図１は本発明に係わる芝生捕集器の使用例を示すもので、（ａ）が正面図、（ｂ）が右側面図、（ｃ）が上面図、（ｄ）が底面図である。図２は図１のＩＩ−ＩＩ線矢視断面図である。図３は本発明に係わる芝生捕集器の使用方法を示す説明図で、図４は同芝片を抜き取る様子を示す説明図、図５は同要部断面図である。そして図６は同芝片の採取及び補修用芝の移植方法を示す説明図である。
【００１１】
芝生摘集器１は、例えばサッカー場やゴルフ場などの芝生面ｇから、激しい運動や病害等によって傷んだ部分の芝生を採取したり、又は健全に育成された別の芝生面から良好な芝生を採取するための器具である。芝生捕集器１は、芝生面ｇに差し込まれ、芝片３を採取するための抜型１０ａ，１０ｂと、抜型１０ａ，１０ｂを支えるための支柱５ａ，５ｂとを備えている。
【００１２】
抜型１０ａ，１０ｂは、鉄製で、平面視六角形で筒状に形成されると共に左右に２分割され、それぞれの抜型１０ａ，１０ｂは分割された分割端１１ａ，１１ｂを面して対向している。また、図１（ｃ）に示すように、抜型１０ａ，１０ｂ同士の上方の分割端１１ａ，１１ｂの双方の接近側には、棒状のリンク２０ａ，２０ｂが掛架され、ボルト２２を回動軸として軸支されている。
【００１３】
また、抜型１０ａ，１０ｂのリンク２０ａ，２０ｂより下の分割端１１ａ，１１ｂは下に行くにつれて徐々に離間して形成されている。尚、抜型１０ａ，１０ｂの下端面は、六角形の角部が鋭利に突出した刃部１２ａ，１２ｂが形成され、抜型１０ａ，１０ｂの下端開口となっている。
【００１４】
また、抜型１０ａ，１０ｂの上面の外周から中心方向に向かって水平に伸びる厚板状の梁部材であるステツプ２６ａ，２５ｂが抜型１０ａ，１０ｂに固定されている。ステップ２５ａ，２５ｂの先端には、鉄製パイプで作られた支柱５ａ，５ｂの下端が固定されている。そして、ステツプ２５ａ，２５ｂを介して支柱５ａ，５ｂ同士が近接して抜型１０ａ，１０ｂの上面の中心から上方に伸びている。
尚、支柱５ａ，５ｂの上端には、水平に外向きに伸びるハンドル６ａ，６ｂが設けられている。
【００１５】
次に、本実施例で示す芝生捕集器１の使用方法を説明する。まず、図３の（ａ）に示すように、芝生面ｇの芝生の剥げ落ちた箇所ｇ１（図６（ａ））に矢印ｉ方向に抜型１０ａ，１０ｂを突き刺す。このとき、支桂５ａ，５ｂを両手で一体にした状態で行うことにより、抜型１０ａ，１０ｂは回動することなく正確な六角形を保ったまま芝生面ｇに差し込まれる。
【００１６】
次に、図３（ｂ）に示すように、いずれか一方の抜型１０ａを矢印ｊ方向に押圧し、更に深く差し込む。このとき、ステツプ２５ａを脚で踏み込むことで大きな力を抜型１０ａに加えることができる。また、抜型１０ａが芝生面ｇに対して押圧されるのにつれてリンク２０ａ，２０ｂが回動し、一方の抜型１０ａが他方の抜型１０ｂとは独立して芝生面ｇに差し込まれる。そして、図３（ｃ）に示すように、同様にして他方の抜型１０ｂを更に深くまで差し込んで、両方の抜型１０ａ，１０ｂを所定の深さまで差し込む。
【００１７】
次に、芝生捕集器１を芝生面ｇから抜き取り、図４（ｅ）に示すように、角度を変えて、再度、抜型１０ａ，１０ｂを所定の深さまで差し込む。このように角度を変えて差し込むことにより、六角形のすべての面の芝生に切れ目がつくことになる。
【００１８】
最後に、図４（ｆ）に示すように、支柱５ａ，５ｂをその上端同士が離間する方向（矢印ｍ）に回動させることにより、分割端１１ａ，１１ｂ同士が接近するように回動させ、刃部１２ａ，１２ｂで形成された抜型１０ａ，１０ｂの下端開口を狭窄させる。この状態で、図４（ｂ）に示すように、芝生捕集器１を矢印ｎの方向に持ち上げることにより、抜型１０ａ，１０ｂの内側に保持された芝片３が抜き取られる。抜型１０ａ，１０ｂの下端開口を狭窄させることが可能であることから、厚くて重い芝片３であっても確実に保持して採取することができる。
尚、芝片３が抜き取られた跡には、平面視六角形の採取跡ｈが残る（図６（ａ））。
【００１９】
図６（ｂ）に示すように、同様な方法で、健全に育成された芝生面ｇから良好な芝生を補修用芝４として採取し、剥げ落ちた箇所ｇ１の採取跡ｈに補修用芝４を埋め戻すことで、芝生面ｇの剥げ落ちた箇所ｇ１の補修は終了する。
【００２０】
尚、本実施例の芝生捕集器１によれば、厚さが大きい芝片３を採取するために、２分割された抜型１０ａ，１０ｂの１つずつに独立して大きな力を効率的に加えることで、抜型１０ａ，１０ｂを芝生面ｇに深くまで差し込むことができ、厚さが大きい芝片３を労力を抑えて容易に採取することが可能である。そして、この芝生捕集器１は、特にサツカー場やラグビー場のような芝生面で激しい運動を行うために厚い芝生が敷き詰められた場所の芝生の補修に適している。
【００２１】
また、抜型１０ａ，１０ｂを平面視六角形にしたことで、図４（ａ）に示すように、六角形の辺部を互いに密接させて抜き取ることにより、剥げ落ちた箇所ｇ１が円形や長方形のような任意の形状であっても、取り残しの発生を抑えて芝片３の採取が可能である。
【００２２】
尚、本実施例の抜型１０ａ，１０ｂは、１辺が約１００ｍｍの六角形で、縦の長さが約２５０ｍｍであり、抜き取ることが可能な芝片３の厚さは、１５０ｍｍ程度であるが、この大きさに限られるものではなく、採取する芝生面ｇの状態によって各種の大きさの芝生捕集器１を用意することが可能である。
【００２３】
【発明の効果】
請求項１の発明によれば、いずれか一方の抜型を芝生面に対して押圧するにつれてリンクが回動し、一方の抜型が他方の抜型とは独立して芝生面に差し込むことができる構造となっている。このため、２分割された抜型の１つずつに大きな力を効率的に加えることができ、労力を抑えて抜型を芝生面に深くまで差し込み、厚さが大きい芝片を容易に採取することが可能である。
【００２４】
請求項２記載の発明によれば、抜型の下端開口を狭窄させることが可能であることから、抜き取った重い芝片でも脱落させることなく確実に保持して採取することができる。
【００２５】
請求項３記載の発明によれば、梁部材を介して支柱同士が近接して抜型の上面の中心から上方に伸びて配設されている。このため、それぞれの支柱を一体に支えて抜型を芝生面に差し込むことができ、抜型が回動せず正確な六角形の芝片を採取することができる。
【図面の簡単な説明】
【図１】本発明に係わる芝生捕集器の使用例を示す（ａ）が正面図、（ｂ）が右側面図、（ｃ）が上面図、（ｄ）が底面図である。
【図２】図１のＩＩ−ＩＩ線矢視断面図である。
【図３】本発明に係わる芝生捕集器の使用方法を示す説明図である。
【図４】同芝片を抜き取る様子を示す説明図である。
【図５】同要部断面図である。
【図６】同芝片の採取及び補修用芝の移植方法を示す説明図である。
【符号の説明】
１・・・・・・・・・・芝生捕集器
３・・・・・・・・・・芝片
４・・・・・・・・・・補修用芝
５ａ，５ｂ・・・・・・支柱
６ａ，６ｂ・・・・・・ハンドル
１０ａ，１０ｂ・・・・抜型
１１ａ，１１ｂ・・・・分割端
１２ａ，１２ｂ・・・・刃部
２０ａ，２０ｂ・・・・リンク
２１・・・・・・・・・ナット
２２・・・・・・・・・ボルト
２５ａ，２５ｂ・・・・ステップ
【図１】
0003715854.tif 000002
【図２】
0003715854.tif 000003
【図３】
0003715854.tif 000004
【図４】
0003715854.tif 000005
【図５】
0003715854.tif 000006
【図６】
0003715854.tif 000007